(57)【要約】【課題】必要な操作履歴のみを特定の者のみが閲覧する。【解決手段】認証部１０３にて認証された利用者によって設定された期間に携帯端末１０１が操作部１０４を用いて操作された内容と時計１０６にて管理されている操作された時刻とが対応付けられて操作履歴情報として記憶部１０７に記憶され、認証部１０３にて認証された利用者によって操作履歴情報の表示部１０２への表示の要求があった場合に記憶部１０７に記憶された操作履歴情報が表示部１０２に表示される。【選択図】図１
2007280097.tif 000002
【特許請求の範囲】
【請求項１】
利用者の認証を行う認証機能と、情報を画面上に表示する表示機能とを有する電子機器において、
前記認証機能を用いて認証された利用者によって設定された期間に当該電子機器が操作された内容と操作された時刻とを対応付けて操作履歴情報として記憶し、前記認証された利用者によって前記操作履歴情報の当該電子機器の前記画面上への表示の要求があった場合に前記記憶された操作履歴情報を前記画面に表示する電子機器。
【請求項２】
請求項１に記載の電子機器において、
不揮発性メモリを有し、前記操作履歴情報を前記不揮発性メモリに記憶することを特徴とする電子機器。
【請求項３】
請求項１に記載の電子機器において、
不揮発性メモリと、揮発性メモリとを有し、前記操作履歴情報を前記揮発性メモリに記憶し、前記揮発性メモリに記憶された操作履歴情報を予め設定された周期で前記不揮発性メモリに書き出すことを特徴とする電子機器。
【請求項４】
請求項１乃至３のいずれか１項に記載の電子機器において、
生体認証である認証機能を有することを特徴とする電子機器。
【請求項５】
請求項１乃至３のいずれか１項に記載の電子機器において、
前記利用者によって入力されるパスワードによる認証機能を有することを特徴とする電子機器。
【請求項６】
請求項１乃至５のいずれか１項に記載の電子機器において、
前記電子機器は、携帯端末であることを特徴とする電子機器。
【請求項７】
請求項１乃至５のいずれか１項に記載の電子機器において、
前記電子機器は、パーソナルコンピュータであることを特徴とする電子機器。
【請求項８】
利用者の認証を行う認証機能と、情報を画面上に表示する表示機能とを有する電子機器における履歴表示方法であって、
前記認証機能を用いて認証された利用者によって設定された期間に当該電子機器が操作された内容と操作された時刻とを対応付けて操作履歴情報として記憶する処理と、
前記認証された利用者によって前記操作履歴情報の当該電子機器の前記画面上への表示の要求があった場合に前記記憶された操作履歴情報を前記画面に表示する処理とを有する履歴表示方法。
【請求項９】
利用者の認証を行う認証機能を用いて認証された利用者によって設定された期間に当該電子機器が操作された内容と操作された時刻とを対応付けて操作履歴情報として記憶する手順と、
前記認証された利用者によって前記操作履歴情報の当該電子機器の画面上への表示の要求があった場合に前記記憶された操作履歴情報を前記画面に表示する手順とをコンピュータに実行させるためのプログラム。
【発明の詳細な説明】
【技術分野】
【０００１】
本発明は、過去の履歴を画面上に表示する電子機器、履歴表示方法及びプログラムに関する。
【背景技術】
【０００２】
近年、携帯端末の多機能化に伴い、携帯端末が有する画面における表示機能も充実してきており、それにより、携帯端末の画面に様々な情報が表示されるようになってきている。携帯端末の画面上に表示される内容には、通話時間、発信相手番号、着信相手番号や送受信パケット数等の過去の通信に関わる履歴が含まれる。
【０００３】
また、電子機器において、利用者によって入力された一連の入力操作を操作履歴情報として記憶し、記憶された操作履歴情報に基づいて一連の入力操作を再現する方法が考えられている（例えば、特許文献１参照。）。
【特許文献１】特開２００４−１８５２４０号公報
【発明の開示】
【発明が解決しようとする課題】
【０００４】
しかしながら、上述した携帯端末の例においては、通信に関わる操作のみが履歴として記憶されて表示されるに過ぎず、アドレス帳の閲覧や送受信メールの閲覧等が行われた場合、それらの履歴は残らない。そのため、携帯端末の所有者以外の者が当該携帯端末を使用した場合、所有者にとって他人に知られたくない情報がその者により閲覧されたかどうかが認識できないという問題点がある。
【０００５】
また、特許文献１に記載された方法においては、一連の入力操作を操作履歴情報として常時記憶し、常時記憶された操作履歴情報から一連の入力操作をある操作によって再現する。そのため、再現不要な入力操作までもが記憶されてしまうという問題点がある。また、過去にどのような入力操作が行われたかを誰でも確認することができてしまうため、情報漏洩が生じてしまうという問題点がある。
【０００６】
本発明は、上述したような従来の技術が有する問題点に鑑みてなされたものであって、必要な操作履歴のみを特定の者のみが閲覧することができる電子機器、履歴表示方法及びプログラムを提供することを目的とする。
【課題を解決するための手段】
【０００７】
上記目的を達成するために本発明は、
利用者の認証を行う認証機能と、情報を画面上に表示する表示機能とを有する電子機器において、
前記認証機能を用いて認証された利用者によって設定された期間に当該電子機器が操作された内容と操作された時刻とを対応付けて操作履歴情報として記憶し、前記認証された利用者によって前記操作履歴情報の当該電子機器の前記画面上への表示の要求があった場合に前記記憶された操作履歴情報を前記画面に表示する。
【０００８】
また、不揮発性メモリを有し、前記操作履歴情報を前記不揮発性メモリに記憶することを特徴とする。
【０００９】
また、不揮発性メモリと、揮発性メモリとを有し、前記操作履歴情報を前記揮発性メモリに記憶し、前記揮発性メモリに記憶された操作履歴情報を予め設定された周期で前記不揮発性メモリに書き出すことを特徴とする。
【００１０】
また、生体認証である認証機能を有することを特徴とする。
【００１１】
また、前記利用者によって入力されるパスワードによる認証機能を有することを特徴とする。
【００１２】
また、前記電子機器は、携帯端末であることを特徴とする。
【００１３】
また、前記電子機器は、パーソナルコンピュータであることを特徴とする。
【００１４】
また、利用者の認証を行う認証機能と、情報を画面上に表示する表示機能とを有する電子機器における履歴表示方法であって、
前記認証機能を用いて認証された利用者によって設定された期間に当該電子機器が操作された内容と操作された時刻とを対応付けて操作履歴情報として記憶する処理と、
前記認証された利用者によって前記操作履歴情報の当該電子機器の前記画面上への表示の要求があった場合に前記記憶された操作履歴情報を前記画面に表示する処理とを有する。
【００１５】
上記のように構成された本発明においては、利用者の認証を行う認証機能を用いて認証された利用者によって設定された期間に当該電子機器が操作された内容と操作された時刻とが対応付けられて操作履歴情報として記憶され、認証された利用者によって操作履歴情報の当該電子機器の画面上への表示の要求があった場合に記憶された操作履歴情報が画面に表示される。
【００１６】
このように、認証に成功した者によって設定された期間のみに電子機器が操作された操作履歴が、認証に成功した者のみによって閲覧することができる。そのため、無駄な履歴の記録を避けることができ、且つ許可されない者による操作履歴の閲覧を避けることができる。
【発明の効果】
【００１７】
以上説明したように本発明においては、利用者の認証を行う認証機能を用いて認証された利用者によって設定された期間に当該電子機器が操作された内容と操作された時刻とを対応付けて操作履歴情報として記憶し、認証された利用者によって操作履歴情報の当該電子機器の画面上への表示の要求があった場合に記憶された操作履歴情報を画面に表示する構成としたため、必要な操作履歴のみを特定の者のみが閲覧することができる。
【発明を実施するための最良の形態】
【００１８】
以下に、本発明の実施の形態について図面を参照して説明する。
【００１９】
図１は、本発明の電子機器の実施の一形態を示す図である。ここでは、電子機器として携帯端末が使用される場合を例に挙げて説明する。
【００２０】
本形態における携帯端末１０１には図１に示すように、表示部１０２と、認証部１０３と、操作部１０４と、操作内容抽出部１０５と、時計１０６と、記憶部１０７と、これらを制御する制御部１０８とが設けられている。
【００２１】
表示部１０２は、通常の携帯端末に具備されている画面であり、携帯端末１０１の動作に関連する情報を表示する。認証部１０３は、携帯端末１０１を利用する利用者の認証を行う。操作部１０４は、携帯端末１０１を利用する利用者が携帯端末１０１を操作するために情報を入力するためのボタンキーやタッチパネル等である。操作内容抽出部１０５は、操作部１０４にて操作された操作内容を抽出する。時計１０６は、現在時刻を管理する。記憶部１０７は、操作内容抽出部１０５にて抽出された操作内容とその時の時計１０６にて管理された現在時刻とを対応付けて操作履歴情報として記憶する不揮発性メモリである。なお、図１では、携帯端末１０１の構成要素の中で、本発明に関する構成要素のみを示している。
【００２２】
以下に、図１に示した携帯端末１０１における履歴表示方法について説明する。ここで認証部１０３における認証は、操作部１０４からパスワードを入力することによる従来のパスワード照合であっても良いし、声紋照合や指紋照合といった生体認証によるものであっても良い。ここでは、パスワード照合によって認証される場合を例に挙げて説明する。まずは、図１に示した携帯端末１０１における操作履歴情報を記憶する期間の設定方法について説明する。
【００２３】
図２は、図１に示した構成の携帯端末１０１における操作履歴情報を記憶する期間の設定方法を説明するためのフローチャートである。
【００２４】
まず、操作履歴情報を記憶する期間の設定を行う者について認証部１０３にて認証が行われる。この認証に成功した場合のみ、期間の設定が可能となる。ここで、操作履歴情報を記憶する期間の設定を行う者が、携帯端末１０１の所有者である場合を例に挙げて説明する。
【００２５】
携帯端末１０１の所有者が操作部１０４を操作することにより、表示部１０２にメニューリストが表示されると、そのメニューリストの１つに「操作履歴情報記憶期間入力」が表示される（ステップＳ１）。そして、携帯端末１０１の所有者が操作部１０４を操作して「操作履歴記憶期間入力」を選択すると（ステップＳ２）、パスワードの入力画面が表示部１０２に表示される（ステップＳ３）。
【００２６】
携帯端末１０１の所有者が操作部１０４を操作してパスワードを入力すると（ステップＳ４）、入力されたパスワードが正しいかどうかが認証部１０３にて判断される（ステップＳ５）。
【００２７】
入力されたパスワードが正しくないと判断された場合、期間の設定は行われずに処理が終了する。
【００２８】
一方、入力されたパスワードが正しいと判断された場合は、表示部１０２に操作履歴情報が記憶される期間を入力するための操作履歴情報記憶期間入力画面が表示される（ステップＳ６）。そして、携帯端末１０１の所有者が操作部１０４を操作して操作履歴情報記憶期間を入力すると（ステップＳ７）、入力された操作履歴情報記憶期間が記憶部１０７に記憶される（ステップＳ８）。
【００２９】
以上の処理により、携帯端末１０１における操作履歴情報を記憶する期間が設定されることとなる。
【００３０】
次に、図１に示した携帯端末１０１における操作履歴情報を記憶する方法について説明する。
【００３１】
図３は、図１に示した携帯端末１０１における操作履歴情報を記憶する方法を説明するためのフローチャートである。
【００３２】
携帯端末１０１の所有者によって操作履歴情報記憶期間が設定されると、時計１０６にて管理されている現在時刻と記憶部１０７に記憶された操作履歴情報記憶期間が比較される（ステップＳ１１）。
【００３３】
時計１０６にて管理されている現在時刻が記憶部１０７に記憶された操作履歴情報記憶期間内ではない場合、処理は終了する。
【００３４】
一方、時計１０６にて管理されている現在時刻が記憶部１０７に記憶された操作履歴情報記憶期間内である場合は、操作部１０４が操作されたかどうかが制御部１０８によって判断される（ステップＳ１２）。この判断のタイミングは、予め設定された一定周期であっても良いし、操作部１０４が操作されたことを検出する検出手段を設けておき、検出手段によって操作部１０４が操作されたことが検出されたタイミングであっても良い。
【００３５】
操作部１０４が操作されたかどうかの判断は、操作履歴情報記憶期間が終了するまで行われる。
【００３６】
操作部１０４が操作されたと判断された場合、操作部１０４が操作された内容が操作内容抽出部１０５によって抽出される（ステップＳ１３）。例えば、アドレス帳閲覧や送受信メール閲覧等の内容が抽出される。
【００３７】
同時に、時計１０６にて管理されている現在の時刻が制御部１０８によって抽出される。つまり、操作部１０４が操作された操作時刻が抽出されることとなる（ステップＳ１４）。
【００３８】
その後、抽出された操作内容と抽出された操作時刻とが制御部１０８によって対応付けられて記憶部１０７に記憶される（ステップＳ１５）。
【００３９】
図４は、記憶部１０７に記憶された操作内容と操作時刻との対応付けの一例を示す図である。
【００４０】
図４に示すように、操作部１０４が操作された操作内容と、操作部１０４が操作された操作時刻とが、それぞれ対応付けられて、操作履歴情報として記憶されている。例えば、２００６年３月２９日１５時３４分に着信履歴が閲覧された操作履歴情報が記憶されている。また、２００６年３月２９日１５時３５分にアドレス帳が閲覧された操作履歴情報が記憶されている。また、２００６年３月２９日１５時３８分にＡさんへ発信された操作履歴情報が記憶されている。また、２００６年３月２９日１５時５１分にＡさんとの通話が終了した操作履歴情報が記憶されている。また、２００６年３月３０日１０時０１分に送受信メールが閲覧された操作履歴情報が記憶されている。また、２００６年３月３０日１０時０５分にメールが作成された操作履歴情報が記憶されている。また、２００６年３月３０日１０時１０分にＢさんへメールが送信された履歴情報が記憶されている。
【００４１】
これらの操作履歴情報は、記憶部１０７である不揮発性メモリに記憶されるが、一旦揮発性メモリに記憶された後、揮発性メモリに記憶された操作履歴情報を予め設定された周期で不揮発性メモリに書き出す構成としても良い。
【００４２】
以上の処理により、携帯端末１０１における操作履歴情報が記憶部１０７に記憶されることとなる。
【００４３】
次に、図１に示した携帯端末１０１の記憶部１０７に記憶された操作履歴情報を表示部１０２に表示する方法について説明する。ここで、携帯端末１０１の記憶部１０７に記憶された操作履歴情報を表示するために携帯端末１０１を操作するのは、携帯端末１０１の所有者である場合を例に挙げて説明する。
【００４４】
図５は、図１に示した携帯端末１０１の記憶部１０７に記憶された操作履歴情報を表示部１０２に表示する方法を説明するためのフローチャートである。
【００４５】
携帯端末１０１の所有者が操作部１０４を操作することにより、表示部１０２にメニューリストが表示されると、そのメニューリストの１つに「操作履歴情報表示」が表示される（ステップＳ２１）。そして、携帯端末１０１の所有者が操作部１０４を操作して「操作履歴情報表示」を選択すると（ステップＳ２２）、パスワードの入力画面が表示部１０２に表示される（ステップＳ２３）。
【００４６】
携帯端末１０１の所有者が操作部１０４を操作してパスワードを入力すると（ステップＳ２４）、入力されたパスワードが正しいかどうかが認証部１０３にて判断される（ステップＳ２５）。
【００４７】
入力されたパスワードが正しくないと判断された場合、期間の設定は行われずに処理が終了する。
【００４８】
一方、入力されたパスワードが正しいと判断された場合は、制御部１０８によって記憶部１０７に記憶された操作履歴情報が読み出される（ステップＳ２６）。そして、読み出された操作履歴情報が表示部１０２に表示される（ステップＳ２７）。
【００４９】
このようにして、認証に成功した場合のみ、記憶部１０７に記憶された操作履歴情報の表示部１０２への表示が可能となる。
【００５０】
なお、本発明においては、携帯端末１０１内の処理は上述の専用のハードウェアにより実現されるもの以外に、その機能を実現するためのプログラムを携帯端末１０１にて読取可能な記録媒体に記録し、この記録媒体に記録されたプログラムを携帯端末１０１に読み込ませ、実行するものであっても良い。携帯端末１０１にて読取可能な記録媒体とは、携帯端末１０１と通信可能な装置にて読み取ることができるフロッピーディスク、光磁気ディスク、ＤＶＤ、ＣＤなどの移設可能な記録媒体の他、当該装置に内蔵されたＨＤＤ等を指す。この記録媒体に記録されたプログラムは、例えば、当該装置から携帯端末１０１へ送信され、携帯端末１０１にて読み込まれ、制御部１０８の制御によって、上述したものと同様の処理が行われる。
【００５１】
また、本発明を実施するための電子機器として携帯端末１０１を使用する場合を例に挙げて説明したが、認証機能及び表示機能を有するパーソナルコンピュータ等の電子機器を使用しても良い。
【図面の簡単な説明】
【００５２】
【図１】本発明の電子機器の実施の一形態を示す図である。
【図２】図１に示した構成の携帯端末における操作履歴情報を記憶する期間の設定方法を説明するためのフローチャートである。
【図３】図１に示した携帯端末における操作履歴情報を記憶する方法を説明するためのフローチャートである。
【図４】記憶部に記憶された操作内容と操作時刻との対応付けの一例を示す図である。
【図５】図１に示した携帯端末の記憶部に記憶された操作履歴情報を表示部に表示する方法を説明するためのフローチャートである。
【符号の説明】
【００５３】
１０１    携帯端末
１０２    表示部
１０３    認証部
１０４    操作部
１０５    操作内容抽出部
１０６    時計
１０７    記憶部
１０８    制御部
【図１】
2007280097.tif 000003
【図２】
2007280097.tif 000004
【図３】
2007280097.tif 000005
【図４】
2007280097.tif 000006
【図５】
2007280097.tif 000007